(57)【要約】【課題】バッテリ集合体の各バッテリを直列接続するために、バッテリ集合体に設置されて使用されるバスバモジュールにおいて、センサ部品専用の設置スペースを設けることなく、既存の電線配索路を使用してセンサ部品を設置することができるものを提供する。【解決手段】絶縁性の材料で構成されたバスバモジュール本体部３と、バスバモジュール本体部に設けられた電線配索路７と、バスバモジュール本体部に設けられバッテリの温度を検出するセンサ部品１３が電線配索路の開口部のところに位置するようにセンサ部品が設置されるセンサ部品設置部９と、センサ部品設置部に設置されたセンサ部品と電線配索路内に設置された電線とがお互いに接触することを防止するために設けられた仕切り部１１とを有するバスバモジュール１である。【選択図】図１
2014022256.tif 000002
【特許請求の範囲】
【請求項１】
バッテリ集合体の各バッテリを直列接続するために、前記バッテリ集合体に設置されて使用されるバスバモジュールにおいて、
絶縁性の材料で構成されたバスバモジュール本体部と、
前記バスバモジュール本体部に設けられた電線配索路と、
前記バスバモジュール本体部に設けられ、前記バッテリの温度を検出するセンサ部品が電線配索路の開口部のところに位置するように、前記センサ部品が設置されるセンサ部品設置部と、
前記センサ部品設置部に設置されたセンサ部品と、電線配索路内に設置された電線とがお互いに接触することを防止するために設けられた仕切り部と、
を有することを特徴とするバスバモジュール。
【請求項２】
請求項１に記載のバスバモジュールにおいて、
前記バスバモジュール本体部は、第１のモジュール本体部と第２のモジュール本体部とを備えて構成されており、
前記センサ部品設置部は、前記第１のモジュール本体部に設けられており、
前記第１のモジュール本体部における前記センサ部品設置部の近傍には、被係止部が設けられており、
前記第２のモジュール本体部には係止部が設けられており、
前記第２のモジュール本体部を前記第１のモジュール本体部に設置したときに、前記被係止部が前記係止部に係止され、前記被係止部と前記係止部とが、前記仕切り部を形成するように構成されていることを特徴とするバスバモジュール。
【請求項３】
請求項２に記載のバスバモジュールにおいて、
前記第２のモジュール本体部を前記第１のモジュール本体部に設置したときに、前記第１のモジュール本体部の電線配索路に前記第２のモジュール本体部の電線配索路がつながるように構成されており、
前記係止部は、前記第２のモジュール本体部の電線配索路の開口部で幅方向の一方の側から幅方向の他方の側に向かって幅方向の中間部まで突出している突出部と、この突出部で前記電線配索路の幅方向の一方の端から中程の部位にかけて、前記電線配索路の底側に凹んでいる凹部を備えて構成されており、
前記センサ部品設置部は、前記第１のモジュール本体部の電線配索路の近傍に位置しており、
前記被係止部は、前記センサ部品設置部の端から前記第１のモジュール本体部の電線配索路側に突出している突出部で構成されており、
前記第２のモジュール本体部を前記第１のモジュール本体部に設置したときに、前記第１のモジュール本体部の被係止部を構成している突出部が、前記第２のモジュール本体部の係止部を構成している突出部の凹部に嵌り込むように構成されていることを特徴とするバスバモジュール。
【請求項４】
請求項１〜請求項３のいずれか１項に記載のバスバモジュールにおいて、
前記第１のモジュール本体部には、前記センサ部品設置部に前記センサ部品を仮設置するためのセンサ部品係止爪が設けられていることを特徴とするバスバモジュール。
【発明の詳細な説明】
【技術分野】
【０００１】
本発明は、バスバモジュールに係り、特に、電線配索路とセンサ部品とが設けられており、バッテリ集合体に設置されて使用されるものに関する。
【背景技術】
【０００２】
従来、図８〜図１１で示すようなバスバモジュール３０１が知られている（たとえば、特許文献１、特許文献２参照）。
【０００３】
従来のバスバモジュール３０１では、絶縁性のケース３０３に温度センサ等のセンサ部品３０５がバッテリ（バッテリ集合体を構成するバッテリ）３０７に接した状態で装着されている。また、従来のバスバモジュール３０１では、センサ部品３０５の電線３０９がケース３０３に沿って配索されている。
【先行技術文献】
【特許文献】
【０００４】
【特許文献１】特開２０１１−１８４５４号公報
【特許文献２】特開２０１１−６０６７５号公報
【発明の概要】
【発明が解決しようとする課題】
【０００５】
ところで、従来のバスバモジュール３０１では、センサ部品３０５の取り付けのための専用のスペースをケース３０３に設ける必要がある。
【０００６】
この専用スペースを無くすべく、センサ部品３０５を電線３０９の配索路上に配置しようとしても、センサ部品３０５自体の取り付けが困難であるという問題がある。また、センサ部品３０５を電線３０９の配索路上に配置すると、センサ部品３０５と電線３０９との間で擦れが発生し、この擦れで電線３０９が磨耗し、電線３０９のショートが懸念される。
【０００７】
本発明は、上記問題点に鑑みてなされたものであり、バッテリ集合体の各バッテリを直列接続するために、前記バッテリ集合体に設置されて使用されるバスバモジュールにおいて、センサ部品専用の設置スペースを設けることなく、既存の電線配索路を使用してセンサ部品を設置することができるとももに、電線とセンサ部品との間に擦れが発生することを防ぐことができるバスバモジュールを提供することを目的とする。
【課題を解決するための手段】
【０００８】
請求項１に記載の発明は、バッテリ集合体の各バッテリを直列接続するために、前記バッテリ集合体に設置されて使用されるバスバモジュールにおいて、絶縁性の材料で構成されたバスバモジュール本体部と、前記バスバモジュール本体部に設けられた電線配索路と、前記バスバモジュール本体部に設けられ、前記バッテリの温度を検出するセンサ部品が電線配索路の開口部のところに位置するように、前記センサ部品が設置されるセンサ部品設置部と、前記センサ部品設置部に設置されたセンサ部品と、電線配索路内に設置された電線とがお互いに接触することを防止するために設けられた仕切り部とを有するバスバモジュールである。
【０００９】
請求項２に記載の発明は、請求項１に記載のバスバモジュールにおいて、前記バスバモジュール本体部は、第１のモジュール本体部と第２のモジュール本体部とを備えて構成されており、前記センサ部品設置部は、前記第１のモジュール本体部に設けられており、前記第１のモジュール本体部における前記センサ部品設置部の近傍には、被係止部が設けられており、前記第２のモジュール本体部には係止部が設けられており、前記第２のモジュール本体部を前記第１のモジュール本体部に設置したときに、前記被係止部が前記係止部に係止され、前記被係止部と前記係止部とが、前記仕切り部を形成するように構成されているバスバモジュールである。
【００１０】
請求項３に記載の発明は、請求項２に記載のバスバモジュールにおいて、前記第２のモジュール本体部を前記第１のモジュール本体部に設置したときに、前記第１のモジュール本体部の電線配索路に前記第２のモジュール本体部の電線配索路がつながるように構成されており、前記係止部は、前記第２のモジュール本体部の電線配索路の開口部で幅方向の一方の側から幅方向の他方の側に向かって幅方向の中間部まで突出している突出部と、この突出部で前記電線配索路の幅方向の一方の端から中程の部位にかけて、前記電線配索路の底側に凹んでいる凹部を備えて構成されており、前記センサ部品設置部は、前記第１のモジュール本体部の電線配索路の近傍に位置しており、前記被係止部は、前記センサ部品設置部の端から前記第１のモジュール本体部の電線配索路側に突出している突出部で構成されており、前記第２のモジュール本体部を前記第１のモジュール本体部に設置したときに、前記第１のモジュール本体部の被係止部を構成している突出部が、前記第２のモジュール本体部の係止部を構成している突出部の凹部に嵌り込むように構成されているバスバモジュールである。
【００１１】
請求項４に記載の発明は、請求項１〜請求項３のいずれか１項に記載のバスバモジュールにおいて、前記第１のモジュール本体部には、前記センサ部品設置部に前記センサ部品を仮設置するためのセンサ部品係止爪が設けられているバスバモジュールである。
【発明の効果】
【００１２】
本発明によれば、センサ部品専用の設置スペースを設けることなく、既存の電線配索路を使用してセンサ部品を設置することができるとももに、電線とセンサ部品との間に擦れが発生することを防ぐことができるバスバモジュールを提供することができるという効果を奏する。
【図面の簡単な説明】
【００１３】
【図１】本発明の実施形態に係るバスバモジュールであって、第１のモジュール本体部と第２のモジュール本体部とがお互いに離れているものの概略構成を示す図であり、（ａ）は正面図であり、（ｂ）は（ａ）におけるＩＢ矢視図である。
【図２】本発明の実施形態に係るバスバモジュールであって、第１のモジュール本体部と第２のモジュール本体部とがお互いに離れているものの概略構成を示す斜視図である。
【図３】本発明の実施形態に係るバスバモジュールであって、第１のモジュール本体部と第２のモジュール本体部とがお互いに離れているものの概略構成を示す斜視図である。
【図４】本発明の実施形態に係るバスバモジュールであって、第１のモジュール本体部と第２のモジュール本体部とがお互いに接合されているものの概略構成を示す図であり、（ａ）は正面図であり、（ｂ）は（ａ）におけるＩＶＢ矢視図である。
【図５】本発明の実施形態に係るバスバモジュールであって、第１のモジュール本体部と第２のモジュール本体部とがお互いに接合されているものの概略構成を示す斜視図である。
【図６】本発明の実施形態に係るバスバモジュールであって、第１のモジュール本体部と第２のモジュール本体部とがお互いに接合されているものの概略構成を示す全体図である。
【図７】図４におけるＶＩＩ矢視図である。
【図８】従来のバスバモジュールをバッテリ集合体に設置した状態を示す斜視図である。
【図９】図８におけるＶＩＩＩ部の拡大図である。
【図１０】従来のバスバモジュールの要部を示す図である。
【図１１】図１０におけるＸＩ―ＸＩ断面を示す図である。
【発明を実施するための形態】
【００１４】
本発明の実施形態に係るバスバモジュール（バッテリ接続体）１は、従来のものと同様に、バッテリ集合体（図１〜図７では図示せず）の各バッテリを直列接続するために、バッテリ集合体のたとえば側部に設置されて使用されるものである。
【００１５】
ここで、説明の便宜のために、バスバモジュール１における一方向を長手方向（Ｘ軸方向）とし、長手方向に対して直交する一方向を縦方向（Ｙ軸方向）とし、長手方向と縦方向とに対して直交する方向を厚さ方向（Ｚ軸方向）とする。
【００１６】
バッテリは、たとえば細長い直方体状に形成されており、この長手方向の一方の面からプラス端子とマイナス端子とが突出している。
【００１７】
バッテリ集合体は、お互いが同形状に形成されている複数のバッテリ（セル）で構成されている。バッテリ集合体では、各バッテリそれぞれの長手方向が、水平な一方向（バスバモジュールでは厚さ方向）になっており、お互いに一致している。バッテリ集合体では、各バッテリの長手方向の一方の面（プラス端子とマイナス端子とが突出している面）が、一平面内に位置しており、各バッテリの長手方向の他方の面が、他の一平面内に位置している。また、バッテリ集合体では、上記水平な一方向と直交する他の水平な一方向（バスバモジュールでは長手方向）に、各バッテリがお互いに接触しもしくは僅かな間隙を隔ててならんでいる。さらに、バッテリ集合体では、上下方向（バスバモジュールでは縦方向）に、上記他の水平な一方向にならんでいるバッテリが、接触しもしくは僅かな間隙を隔てて２段等の多段で重なっている。
【００１８】
これより、バッテリ集合体を各バッテリの長手方向（プラス端子とマイナス端子とが突出している側）から見ると、複数のバッテリが水平方向と上下方向に行列をなしてならんでいる。さらに、上記他の水平な一方向にならんでいる各バッテリのそれぞれのプラス端子とマイナス端子とが交互にならんでいる。
【００１９】
バスバモジュール１は、図１〜図７で示すように、絶縁性の材料で構成された（たとえば絶縁性の合成樹脂を射出成形することで形成された）バスバモジュール本体部３を備えて構成されている。
【００２０】
バスバモジュール本体部３には、複数の金属性で平板状のバスバ５が嵌り込む等して一体的に設置されるようになっている。バスバモジュール本体部３に設置されたバスバ（設置済みバスバ）５のそれぞれは、バスバモジュール１がバッテリ集合体に設置されたときに、各バッテリの端子のそれぞれに接続され、バッテリ集合体の各バッテリが直列接続されるようになっている。
【００２１】
バスバモジュール本体部３には、電線配索路７とセンサ部品設置部（温度センサ設置部）９と仕切り部１１とが設けられている。
【００２２】
電線配索路７は、たとえば、バッテリの電圧検出用電線（図示せず）の配索路であって、凹んだ樋状に形成されている。
【００２３】
センサ部品設置部９は、バッテリの温度を検出するセンサ部品（たとえば、サーミスタ等の温度センサ）１３が設置される部位である。センサ部品設置部９に設置されたセンサ部品１３は、電線配索路７の開口部のところに位置するようになっている。
【００２４】
仕切り部１１は、センサ部品設置部９に設置されたセンサ部品１３と、電線配索路７内に設置された電線とがお互いに接触することを防止するために設けられているものである。すなわち、仕切り部１１は、設置済みセンサ部品（センサ部品設置部９に設置されているセンサ部品）１３と設置済み電線（電線配索路７内に設置されている電線）とを仕切るものである。
【００２５】
たとえば、設置済み電線は電線配索路７内に収まって延伸しており、設置済みセンサ部品１３は、電線配索路７の開口部よりも上方（電線配索路７の外側；バスバモジュール１の厚さ方向他端側）に存在している。さらには、バスバモジュール１の厚さ方向から見ると（電線配索路７の深さ方向から見ると）、設置済みセンサ部品１３は、電線配索路７とほぼ重なっている。仕切り部１１は、バスバモジュール１の厚さ方向で、設置済み電線と設置済みセンサ部品１３との間の電線配索路７の開口部のところに位置している（図７等参照）。
【００２６】
また、バスバモジュール本体部３は、第１のモジュール本体部１５と第２のモジュール本体部１７とを備えて構成されている。センサ部品設置部９は、前記第１のモジュール本体部に設けられている。
【００２７】
第１のモジュール本体部１５におけるセンサ部品設置部９の近傍には、被係止部２１が設けられている。第２のモジュール本体部１７には係止部２３が設けられている。
【００２８】
第２のモジュール本体部１７を第１のモジュール本体部１５に設置したときに、被係止部２１が係止部２３に係止され、被係止部２１と係止部２３とが仕切り部１１を形成するようになっている。
【００２９】
第１のモジュール本体部１５は、絶縁性の合成樹脂で構成されており射出成形によって生成されている。また、第１のモジュール本体部１５には、バスバ設置部１９とセンサ部品設置部９と被係止部２１と第１のモジュール本体部係止部２５とが設けられている。
【００３０】
第２のモジュール本体部１７は、第１のモジュール本体部１５に対して着脱自在になっており、第１のモジュール本体部１５に設置されたときに第１のモジュール本体部１５と一体化するようになっている。
【００３１】
第２のモジュール本体部１７も、第１のモジュール本体部１５と同様にして、絶縁性の合成樹脂で構成されており、第１のモジュール本体部１５とは別個の射出成形によって生成されている。
【００３２】
なお、第１のモジュール本体部１５と第２のモジュール本体部１７とに分割しているのは、バスバモジュール本体部３の成形に使用する金型が大型化することを防ぐためである。また、バスバモジュール１を複数のモジュール本体部１５，１７に分割しユニット化しておけば、直列接続されるバッテリの数が増える等しても柔軟に対応することができるからである。
【００３３】
第２のモジュール本体部１７には、バスバ設置部１９と係止部２３と第２のモジュール本体部係止部２７とが設けられている。
【００３４】
そして、第１のモジュール本体部係止部２５と第２のモジュール本体部係止部２７とをお互いに係合させることで、第２のモジュール本体部１７が第１のモジュール本体部１５に設置され、第１のモジュール本体部１５と第２のモジュール本体部１７とが一体化し、この一体化したものに、バスバ５等を設置することで、バスバモジュール１が生成されるようになっている。
【００３５】
仕切り部１１は、上述した係止部２３と被係止部２１とで構成されたものに加えて、電線配索路７の開口部に設けられた突起２９によっても構成されている。
【００３６】
電線配索路７は、第１のモジュール本体部１５と第２のモジュール本体部１７とに設けられている。そして、第２のモジュール本体部１７を第１のモジュール本体部１５に設置したときに、第１のモジュール本体部１５の電線配索路７に第２のモジュール本体部１７の電線配索路７がつながるように構成されている。
【００３７】
第２のモジュール本体部１７の係止部２３は、突出部３１と凹部３３とを備えて構成されている。突出部３１は、第２のモジュール本体部１７の電線配索路７の開口部で幅方向（バスバモジュール１では縦方向）の一方の側から幅方向の他方の側に向かって幅方向の中間部まで突出している。凹部３３は、突出部３１で電線配索路７の幅方向の一方の端から中程の部位にかけて、電線配索路７の底側（バスバモジュール１では厚さ方向一端側）に凹んでいる。
【００３８】
センサ部品設置部９は、第１のモジュール本体部１５の電線配索路７の近傍であって第２のモジュール本体部１７が接合される部位の近傍に設けられている。
【００３９】
第１のモジュール本体部１５の被係止部２１は、センサ部品設置部９の端（電線配索路７の幅方向の一方に側）から第１のモジュール本体部１５の電線配索路７側に突出している突出部３５で構成されている。
【００４０】
そして、第２のモジュール本体部１７を第１のモジュール本体部１５に設置したときに、第１のモジュール本体部１５の被係止部２１を構成している突出部３５が、第２のモジュール本体部１７の係止部２３を構成している突出部３１の凹部３３に嵌り込むように構成されている。
【００４１】
また、第１のモジュール本体部１５には、センサ部品設置部９にセンサ部品１３を仮設置するときに使用するセンサ部品係止爪３７が設けられている。
【００４２】
ここで、バスバモジュール１についてさらに詳しく説明する。
【００４３】
第１のモジュール本体部１５と第２のモジュール本体部１７と概ね矩形な板状に形成されている。
【００４４】
電線配索路７は、モジュール本体部１５，１７（バスバモジュール１）の長手方向に延びて形成されており、断面（長手方向に対して直交する平面による断面）が矩形状に形成されている。また、電線配索路７は、バスバモジュール１の縦方向では中間部に位置しており、バスバモジュール１の厚さ方向では開口部が他端側に位置し底部が一端側に位置している。
【００４５】
被係止部２１と係止部２３とで構成される仕切り部１１は、電線配索路７の開口部のところで、電線配索路７の幅方向（バスバモジュール１では縦方向）の一端側の縁から、他端側に向かい電線配索路７の幅方向の中心よりも他端の縁側まで延びている。ただし、他端の縁までは届いていない。
【００４６】
第２のモジュール本体部１７に形成されている突起２９によって構成されている仕切り部１１は、電線配索路７の開口部のところで、電線配索路７の幅方向（バスバモジュール１では縦方向）の他端側の縁から、一端側に向かい電線配索路７の幅方向の中心よりも一端の縁側まで延びている。ただし、一端の縁までは届いていない。また、突起２９は、バスバモジュール１の長手方向で突出部３１の近傍に存在している。
【００４７】
第１のモジュール本体部係止部２５は、係止爪３９と凹部（図示せず）とによって構成されており、第２のモジュール本体部係止部２７は、係止爪４１と凹部（図示せず）とによって構成されている。
【００４８】
第１のモジュール本体部係止部２５の係止爪３９と凹部とは、長手方向で第１のモジュール本体部１５の一端側に設けられている。第２のモジュール本体部係止部２７の係止爪４１と凹部とは、長手方向で第２のモジュール本体部１７の他端側に設けられている。
【００４９】
そして、第２のモジュール本体部１７を第１のモジュール本体部１５に設置する途中の状態では、係止爪３９，４１が弾性変形し、第２のモジュール本体部１７を第１のモジュール本体部１５に設置し終えたときには、係止爪３９，４１が復元して、係止爪３９が第２のモジュール本体部係止部２７の凹部に係合し、係止爪４１が第１のモジュール本体部係止部２５の凹部に係合して、第１のモジュール本体部１５と第２のモジュール本体部１７と一体化するようになっている。
【００５０】
電線配索路７内に設置される電線として、たとえば、バッテリ集合体のバッテリの電圧を測定するための配線やセンサ部品１３の配線を掲げることができる。
【００５１】
センサ部品１３は、円柱状の本体部４３とこの本体部４３から突出している矩形な平板状の支持部４５とを備えて構成されている。
【００５２】
バスバモジュール１の厚さ方向から見ると、センサ部品設置部９は、センサ部品１３の支持部４５が嵌り込む矩形状に形成されており、長手方向では第１のモジュール本体部１５の一端に位置しており、縦方向では第１のモジュール本体部１５の中間であって、電線配索路７に隣接して電線配索路７よりも一端側に位置している。
【００５３】
さらに説明すると、センサ部品設置部９は、バスバモジュール１の厚さ方向に対して直交する矩形状の平面（厚さ方向の他端側を向いている平面）を備えて構成されており、この平面にセンサ部品１３の支持部４５が面接触して、センサ部品１３が第１のモジュール本体部１５に一体的に設置されるようになっている。
【００５４】
また、バスバモジュール１の厚さ方向から見ると、センサ部品設置部９の矩形状の平面の３辺は側壁で囲まれており、電線配索路７に面している１つの辺には側壁が形成されていない。そして、センサ部品１３をセンサ部品設置部９に設置するときには、電線配索路７側から支持部４５をセンサ部品設置部９に挿入するようになっている。
【００５５】
センサ部品係止爪３７は、センサ部品設置部９の電線配索路７に面している１つの辺の両端に形成されている。一対のセンサ部品係止爪３７の間隔（バスバモジュール１では長手方向の寸法）は、センサ部品１３の支持部４５の幅の値よりも僅かに小さくなっている。
【００５６】
そして、センサ部品１３をセンサ部品設置部９の設置する途中の状態では、センサ部品係止爪３７が弾性変形し、一対のセンサ部品係止爪３７の間隔が広がり、センサ部品１３をセンサ部品設置部９の設置し終えたときには、一対のセンサ部品係止爪３７が復元し、センサ部品１３の仮設置がなされるようになっている。なお、仮設置がなされたセンサ部品１３は、センサ部品係止爪３７に阻まれて、センサ部品設置部９から容易にははずれないようになっている。仕切り部１１の被係止部２１（突出部３５）は、一対のセンサ部品係止爪３７の間に位置している。
【００５７】
センサ部品１３をセンサ部品設置部９に設置した状態をバスバモジュール１の厚さ方向から見ると、電線配索路７にセンサ部品１３の本体部４３が重なっている。また、センサ部品１３をセンサ部品設置部９に設置した状態では、厚さ方向で、電線配索路７、仕切り部１１、センサ部品１３の本体部４３が一端側から他端側に向かってこの順に並んでいる。
【００５８】
次に、バスバモジュール１の組立・設置手順を説明する。
【００５９】
まず、図１等に示すように、第１のモジュール本体部１５と第２のモジュール本体部１７とが分離している状態から、第１のモジュール本体部１５と第２のモジュール本体部１７と接合し、バスバ５を設置する。
【００６０】
続いて、電線配索路７に電線を通し、センサ部品設置部９にセンサ部品１３を設置し、これをバッテリ集合体のところまで搬送してバッテリ集合体にボルト（図示せず）を用いて設置する。このとき、ボルトによって、サーミスタ１３の矩形な平板状の支持部４５とバッテリの電極とが面接触し、温度の検知が可能になる。
【００６１】
バスバモジュール１によれば、センサ部品１３が、単に電線配索路７の開口部のところの一部の部位を利用して設置されているので、センサ部品専用の設置スペースが不要になっている。
【００６２】
したがって、既存の電線配索路７を使用してセンサ部品１３を設置することができ、また、仕切り部１１が設けられているので、電線配索路７内で延伸している電線とセンサ部品１３との間にこすれが発生することを防ぐことができる。そして、電線のショートを防止することができる。
【００６３】
また、バスバモジュール１によれば、センサ部品１３（本体部４３）専用の設置スペースが不要になっており、既存の電線配索路７を使用してセンサ部品１３を設置することが容易にできるので、バッテリ集合体の端部でなく中央部に存在する任意のバッテリの温度等の検出も容易になる。
【００６４】
また、バスバモジュール１によれば、第２のモジュール本体部１７を第１のモジュール本体部１５に設置したときに、被係止部２１が係止部２３に係止され、被係止部２１と係止部２３とが、仕切り部１１を形成するように構成されているので、仕切り部１１の剛性が高まっているとともに、仕切り壁１１のところでは特に第２のモジュール本体部１７に対する第１のモジュール本体部１５の位置決め精度を向上させることができる。そして、電線配索路７内で延伸している電線とセンサ部品１３との間のこすれの発生を一層確実に防ぐことができる。
【００６５】
また、バスバモジュール１によれば、第２のモジュール本体部１７を第１のモジュール本体部１５に設置したときに、第１のモジュール本体部１５の被係止部２１を構成している突出部３５が、第２のモジュール本体部１７の係止部２３を構成している突出部３１の凹部３３に嵌り込むように構成されているので、第２のモジュール本体部１７への第１のモジュール本体部１５の設置が容易になっているとともに、簡素な構成で仕切り部１１を形成することができる。
【００６６】
また、仕切り部１１（被係止部２１、係止部２３）が、電線配索路７の開口部に設けられており、センサ部品１３が設置される電線配索路７の部位を塞いでセンサ部品１３の受け部となりセンサ部品１３が電線配索路内に落ち込まないようになっているので、センサ部品１３を設置するときには、仕切り部１１のところにセンサ部品１３を載置すればよく、センサ部品１３の設置が容易になっている。
【００６７】
また、バスバモジュール１によれば、第１のモジュール本体部１５にセンサ部品係止爪３７が設けられているので、バスバモジュール１を搬送等する場合において、センサ部品１３がバスバモジュール１から脱落することを防止することができる。
【符号の説明】
【００６８】
１  バスバモジュール
３  バスバモジュール本体部
７  電線配索路
９  センサ部品設置部
１１  仕切り部
１３  センサ部品
１５  第１のモジュール本体部
１７  第２のモジュール本体部
２１  被係止部
２３  係止部
３１  突出部
３３  凹部
３５  突出部
３７  センサ部品係止爪
【図１】
2014022256.tif 000003
【図２】
2014022256.tif 000004
【図３】
2014022256.tif 000005
【図４】
2014022256.tif 000006
【図５】
2014022256.tif 000007
【図６】
2014022256.tif 000008
【図７】
2014022256.tif 000009
【図８】
2014022256.tif 000010
【図９】
2014022256.tif 000011
【図１０】
2014022256.tif 000012
【図１１】
2014022256.tif 000013